【手続補正書】
【提出日】平成18年10月23日(2006.10.23)
【手続補正１】
【補正対象書類名】特許請求の範囲
【補正対象項目名】全文
【補正方法】変更
【補正の内容】
【特許請求の範囲】
【請求項１】
記憶装置に格納された複数の映像データを管理する方法であって、
(a)所望の映像コンテンツを格納するために前記記憶装置に十分な記憶空間が残っているか否かを決定し、
(b)前記所望の映像コンテンツを格納するために十分な記憶空間が前記記憶装置に存在しない場合に、前記記憶装置に格納されている前記複数の映像データの何らかの映像コンテンツが部分的に視聴されているか否かを決定し、
(c)前記記憶装置に格納されている映像コンテンツが部分的に視聴されている場合に、前記部分的に視聴された映像コンテンツを消去し、前記記憶装置に前記所望の映像コンテンツを格納する余地を作ることを有する方法。
【請求項２】
請求項１に記載の方法であって、
前記記憶装置に格納されている映像コンテンツが部分的に視聴されていないと決定された場合に、前記所望の映像コンテンツを格納するために前記記憶装置に十分な空間が存在するまで、最初に前記記憶装置に格納された前記複数の映像データの映像コンテンツを消去することを更に有する方法。
【請求項３】
請求項１に記載の方法であって、
前記部分的に視聴された映像コンテンツを消去した後に、前記所望の映像コンテンツを格納することを更に有する方法。
【請求項４】
請求項１に記載の方法であって、
前記所望の映像コンテンツを格納するために前記記憶装置に十分な空間が存在するまで、ステップ(b)と(c)とを繰り返すことを更に有する方法。
【請求項５】
請求項１に記載の方法であって、
部分的に視聴されたものとして前記映像コンテンツを特定する表示を用いて、部分的に視聴された映像コンテンツをタグ付けすることを更に有する方法。
【請求項６】
請求項５に記載の方法であって、
前記記憶装置に格納されている前記複数の映像データの何らかの映像コンテンツが部分的に視聴されたか否かを決定することは、前記複数の映像データからタグ付けされた映像コンテンツを検索することを有する方法。
【請求項７】
請求項５に記載の方法であって、
前記部分的に視聴された映像コンテンツは、前記映像コンテンツが部分的に視聴された日付を示すように、更に日付でタグ付けされ、
前記消去は、
対応する日付タグに従って前記部分的に視聴された映像コンテンツを順番に配列し、
最も古い日付タグを有する部分的に視聴された映像コンテンツを消去することを有する方法。
【請求項８】
請求項７に記載の方法であって、
前記所望の映像コンテンツを格納するために前記記憶装置に十分な空間が存在するまで、最も古い日付タグを有する部分的に視聴された特定の映像コンテンツを消去することを繰り返すことを更に有する方法。
【請求項９】
請求項５に記載の方法であって、
前記部分的に視聴された映像コンテンツは、視聴者が前記部分的に視聴された映像コンテンツを視聴することを楽しむ可能性を示すように、更に推奨でタグ付けされ、
前記消去は、
前記部分的に視聴された映像コンテンツが前記推奨タグから肯定的な推奨を有しているか否かを決定し、
前記視聴者がその視聴を楽しみそうにないことを示す推奨タグを有する部分的に視聴された映像コンテンツを消去することを有する方法。
【請求項１０】
請求項９に記載の方法であって、
前記推奨タグは推奨スコアを示し、
前記部分的に視聴された映像コンテンツが肯定的な推奨を有しているか否かを決定することは、前記推奨スコアが所定の閾値のスコアより大きいか否かを決定することを有する方法。
【請求項１１】
請求項５に記載の方法であって、
前記部分的に視聴された映像コンテンツが消去されないようにタグ付けされている場合に、前記部分的に視聴された映像コンテンツの終了後に視聴者にプロンプト指示することを更に有する方法。
【請求項１２】
請求項１１に記載の方法であって、
前記部分的に視聴された映像コンテンツを消去し、前記記憶装置に前記所望の映像コンテンツを格納する余地を作ることは、
前記部分的に視聴された映像コンテンツが消去されないようにタグ付けされているか否かを決定し、
前記部分的に視聴された映像コンテンツが消去されないようにタグ付けされていない場合にのみ、部分的に視聴された映像コンテンツを消去し、前記記憶装置に前記所望の映像コンテンツを格納する余地を作ることを有する方法。
【請求項１３】
映像データを格納し、前記映像データは複数の映像コンテンツを有する記憶装置と、
視聴のために前記記憶装置から前記複数の映像コンテンツのうち１つを取り出し、前記視聴された映像コンテンツが部分的に視聴されているか否かを決定し、部分的に視聴されたものとして前記視聴された映像コンテンツをタグ付けするプロセッサと
を有するパーソナルビデオレコーダ。
【請求項１４】
請求項１３に記載のパーソナルビデオレコーダであって、
所望の映像コンテンツの格納を指示する手段を更に有し、
前記プロセッサは、前記所望の映像コンテンツを格納するために前記記憶装置に十分な記憶空間が存在するか否かを更に決定し、前記所望の映像コンテンツを格納するために十分な記憶空間が存在しない場合には、前記部分的に視聴された映像コンテンツを消去するパーソナルビデオレコーダ。
【請求項１５】
請求項１４に記載のパーソナルビデオレコーダであって、
前記プロセッサは、前記映像コンテンツが部分的に視聴された日付を示すタグを用いて、前記部分的に視聴された映像コンテンツを更にタグ付けし、対応する日付タグに従って前記部分的に視聴された映像コンテンツを順番に配列し、前記所望の映像コンテンツを格納するために十分な記憶空間が存在しない場合には、最も古い日付タグを有する部分的に視聴された映像コンテンツを消去するパーソナルビデオレコーダ。
【請求項１６】
請求項１４に記載のパーソナルビデオレコーダであって、
前記プロセッサは、視聴者が前記部分的に視聴された映像コンテンツを視聴することを楽しむ可能性を示す推奨を用いて、前記部分的に視聴された映像コンテンツを更にタグ付けし、前記部分的に視聴された映像コンテンツが前記推奨タグから肯定的な推奨タグを有しているか否かを決定し、前記視聴者がその視聴を楽しみそうにないことを示す推奨タグを有する部分的に視聴された映像コンテンツを消去するパーソナルビデオレコーダ。
【請求項１７】
請求項１４に記載のパーソナルビデオレコーダであって、
前記プロセッサは、前記部分的に視聴された映像コンテンツが消去されないようにタグ付けされている場合に、前記部分的に視聴された映像コンテンツの終了後に視聴者に更にプロンプト指示し、
前記パーソナルビデオレコーダは、前記部分的に視聴された映像コンテンツが消去されないようにタグ付けされているか否かを示す手段を更に有するパーソナルビデオレコーダ。
【請求項１８】
請求項１７に記載のパーソナルビデオレコーダであって、
前記プロセッサは、前記部分的に視聴された映像コンテンツが消去されないようにタグ付けされているか否かを更に決定し、前記部分的に視聴された映像コンテンツが消去されないようにタグ付けされていない場合にのみ、部分的に視聴された映像コンテンツを消去し、前記記憶装置に前記所望の映像コンテンツを格納する余地を作るパーソナルビデオレコーダ。
【請求項１９】
記憶装置に格納された複数の映像データを管理する方法のステップを実行するように、機械により実行可能な命令のプログラムを明白に具体化した、機械により読取可能なプログラム記憶装置であって、
前記方法は、
所望の映像コンテンツを格納するために前記記憶装置に十分な記憶空間が残っているか否かを決定し、
前記所望の映像コンテンツを格納するために十分な記憶空間が前記記憶装置に存在しない場合に、前記記憶装置に格納されている前記複数の映像データの何らかの映像コンテンツが部分的に視聴されているか否かを決定し、
前記記憶装置に格納されている映像コンテンツが部分的に視聴されている場合に、前記部分的に視聴された映像コンテンツを消去し、前記記憶装置に前記所望の映像コンテンツを格納する余地を作ることを有するプログラム記憶装置。
【請求項２０】
記憶装置に格納された複数の映像データを管理するコンピュータ読み取り可能媒体に具体化されたコンピュータプログラムであって、
所望の映像コンテンツを格納するために前記記憶装置に十分な記憶空間が残っているか否かを決定するコンピュータ読取可能プログラムコード手段と、
前記所望の映像コンテンツを格納するために十分な記憶空間が前記記憶装置に存在しない場合に、前記記憶装置に格納されている前記複数の映像データの何らかの映像コンテンツが部分的に視聴されているか否かを決定するコンピュータ読取可能プログラムコード手段と、
前記記憶装置に格納されている映像コンテンツが部分的に視聴されている場合に、前記部分的に視聴された映像コンテンツを消去し、前記記憶装置に前記所望の映像コンテンツを格納する余地を作るコンピュータ読取可能プログラムコード手段と
を有するコンピュータプログラム。